(57)【要約】【課題】リムーバブルメディアの取り忘れが発生した場合であっても記録情報の漏洩を防止することが可能な技術の提供。【解決手段】リムーバブルメディアの記録情報に関する所定の処理を実行する制御部を備える処理実行システムであって、制御部は、リムーバブルメディアを取り外すことなく利用者が去った場合に、識別情報と記録情報とを関連づけてリムーバブルメディアと異なる記録媒体に記録し、リムーバブルメディアから記録情報を削除し、利用者の連絡先情報が連絡先記録部に記録されている場合には、利用者の連絡先に、記録媒体に記録された記録情報を利用可能にする通知を行い、利用者の連絡先情報が連絡先記録部に記録されていない場合には、識別情報に基づいて認証が行われた場合に、記録媒体に記録された記録情報を利用可能にする処理実行システムを構成する。【選択図】図２
2016111496.tif 000002
【特許請求の範囲】
【請求項１】
個人の識別情報と連絡先とを関連づけた連絡先情報が記録された連絡先記録部と、
前記識別情報に基づいて識別された利用者の指示に応じて、リムーバブルメディアの記録情報に関する所定の処理を実行する制御部と、を備える処理実行システムであって、
前記制御部は、
前記リムーバブルメディアを取り外すことなく前記利用者が去った場合に、前記識別情報と前記記録情報とを関連づけて前記リムーバブルメディアと異なる記録媒体に記録し、前記リムーバブルメディアから前記記録情報を削除し、
前記利用者の前記連絡先情報が前記連絡先記録部に記録されている場合には、前記利用者の連絡先に、前記記録媒体に記録された前記記録情報を利用可能にする通知を行い、
前記利用者の前記連絡先情報が前記連絡先記録部に記録されていない場合には、前記識別情報に基づいて認証が行われた場合に、前記記録媒体に記録された前記記録情報を利用可能にする、
処理実行システム。
【請求項２】
前記制御部は、
前記利用者の前記連絡先情報が前記連絡先記録部に記録されていない場合には、
前記認証と前記記録媒体に記録された前記記録情報へのアクセスを実行するための情報を、前記リムーバブルメディアに記録する、
請求項１に記載の処理実行システム。
【請求項３】
前記制御部は、
前記利用者の前記連絡先情報が前記連絡先記録部に記録されていない場合には、
前記識別情報の入力を受け付け、当該識別情報に基づいて前記認証が行われた場合に、前記記録媒体に記録された前記記録情報を、前記リムーバブルメディアに記録する、
請求項１または請求項２のいずれかに記載の処理実行システム。
【請求項４】
前記制御部は、
前記利用者の前記連絡先情報が前記連絡先記録部に記録されている場合には、
前記通知とともに、前記記録媒体に記録された前記記録情報へのアクセスを実行するための情報を前記連絡先に送信する、
請求項１〜請求項３のいずれかに記載の処理実行システム。
【請求項５】
個人の識別情報に基づいて識別された利用者の指示に応じて、リムーバブルメディアの記録情報に関する所定の処理を実行する制御部を備える処理実行装置であって、
前記制御部は、
前記リムーバブルメディアを取り外すことなく前記利用者が去った場合に、前記識別情報と前記記録情報とを関連づけて前記リムーバブルメディアと異なる記録媒体に記録し、前記リムーバブルメディアから前記記録情報を削除し、
前記識別情報と連絡先とを関連づけた連絡先情報が記録された連絡先記録部に、前記利用者の前記連絡先情報が記録されている場合には、前記利用者の連絡先に通知を行い、
前記連絡先記録部に前記利用者の前記連絡先情報が記録されていない場合には、前記識別情報に基づく認証と前記記録媒体に記録された前記記録情報へのアクセスを実行するための情報を、前記リムーバブルメディアに記録する、
処理実行装置。
【請求項６】
個人の識別情報に基づいて識別された利用者の指示に応じて、リムーバブルメディアの記録情報に関する所定の処理を実行する制御部を備える処理実行装置であって、
前記制御部は、
前記リムーバブルメディアを取り外すことなく前記利用者が去った場合に、前記識別情報と前記記録情報とを関連づけて前記リムーバブルメディアと異なる記録媒体に記録し、前記リムーバブルメディアから前記記録情報を削除し、
前記識別情報と連絡先とを関連づけた連絡先情報が記録された連絡先記録部に、前記利用者の前記連絡先情報が記録されている場合には、前記利用者の連絡先に通知を行い、
前記連絡先記録部に前記利用者の前記連絡先情報が記録されていない場合には、前記識別情報の入力を受け付け、当該識別情報に基づいて認証が行われた場合に、前記記録媒体に記録された前記記録情報を、前記リムーバブルメディアに記録する、
処理実行装置。
【発明の詳細な説明】
【技術分野】
【０００１】
本発明は、処理実行システム、処理実行装置に関する。
【背景技術】
【０００２】
従来、利用者が所定の媒体を利用して所定の処理を行う装置において、媒体の取り忘れを防止するための技術が開発されている。例えば、特許文献１，２には、取り忘れを防止するために利用者が離れると警告する技術が開示されている。
【先行技術文献】
【特許文献】
【０００３】
【特許文献１】特開２０１２−１３８０４０号公報
【特許文献２】特開平６−２３１３３０号公報
【発明の概要】
【発明が解決しようとする課題】
【０００４】
従来の技術においては、実際に媒体の取り忘れが発生した場合の対策がとられていなかった。すなわち、警告が行われる場合であっても、取り忘れを完全に防止することはできない。そして、媒体が情報を記録するリムーバブルメディアである場合、取り忘れた媒体が本来の所有者以外の者に持ち去られた場合には、情報の漏洩が懸念される。
本発明は、リムーバブルメディアの取り忘れが発生した場合であっても記録情報の漏洩を防止することが可能な技術を提供することを目的とする。
【課題を解決するための手段】
【０００５】
上記目的を達成するための処理システムは、個人の識別情報と連絡先とを関連づけた連絡先情報が記録された連絡先記録部と、識別情報に基づいて識別された利用者の指示に応じて、リムーバブルメディアの記録情報に関する所定の処理を実行する制御部と、を備え、制御部は、リムーバブルメディアを取り外すことなく利用者が去った場合に、識別情報と記録情報とを関連づけてリムーバブルメディアと異なる記録媒体に記録し、リムーバブルメディアから記録情報を削除し、利用者の連絡先情報が連絡先記録部に記録されている場合には、利用者の連絡先に、記録媒体に記録された記録情報を利用可能にする通知を行い、利用者の連絡先情報が連絡先記録部に記録されていない場合には、識別情報に基づいて認証が行われた場合に、記録媒体に記録された記録情報を利用可能にする。
【０００６】
すなわち、リムーバブルメディアを取り外すことなく利用者が去った場合、リムーバブルメディアに記録された記録情報は、一旦、リムーブバルメディアから削除される。そして、利用者の連絡先が明らかである場合には記録情報を利用可能にする通知が当該連絡先に対して送信され、連絡先が明らかではない場合には識別情報に基づいて認証が行われなければ記録媒体に記録された記録情報が利用できないように構成される。従って、リムーバブルメディアの取り忘れが発生した場合であっても記録情報の漏洩を防止することが可能である。
【０００７】
また、利用者の連絡先情報が連絡先記録部に記録されている場合には、利用者の連絡先に、記録媒体に記録された記録情報を利用可能にする通知が行われるため、利用者は、当該通知に基づいてリムーバブルメディアを取り忘れたことに気づくことができる。さらに、利用者の連絡先情報が連絡先記録部に記録されている場合、通知が行われる段階ではリムーバブルメディアから記録情報は削除され、リムーバブルメディアと異なる記録媒体に当該記録情報が記録されているため、仮にリムーバブルメディアが他者に持ち去られたとしても、当該記録情報が漏洩することはない。さらに、記録媒体に記録された記録情報を利用可能にする通知が行われると、利用者は、当該通知に基づいて記録情報を再度利用することが可能である。当該記録情報を再度利用するための手法としては、種々の手法を想定可能であり、識別情報に基づいて認証が行われた場合にリムーバブルメディアに再度記録情報が記録される構成であってもよいし、識別情報に基づいて認証が行われた場合にリムーバブルメディアと異なる記録媒体にアクセスして記録情報を取得できるように構成されていても良い。
【０００８】
さらに、利用者の連絡先情報が連絡先記録部に記録されていない場合には、利用者の連絡先に通知を行うことが不可能であるため、後に、利用者が認証を行えば、当該記録情報が利用できるようになる。
【０００９】
ここで、連絡先記録部は、個人の識別情報と連絡先とを関連づけた連絡先情報を保持していればよい。連絡先は、処理実行システムから通知を行うことができるように定義されていればよく、通信先を識別するための情報、例えば、メールアドレスやＩＰアドレス、電話番号等であってもよいし、通信以外の連絡手段を利用した連絡における連絡先、例えば、居所や所属名、住所等であってもよい。
【００１０】
制御部は、各種の処理を実行可能に構成されていれば良く、その処理の一つとして、識別情報に基づいて識別された利用者の指示に応じて、リムーバブルメディアの記録情報に関する所定の処理を実行する。すなわち、制御部は、所定の処理を行う前に識別情報に基づく利用者の識別を行い、利用者が識別された状態で所定の処理を実行する。ここで、識別情報は、個人を特定可能な情報であればよく、例えば、個人に割り当てられたＩＤ等が挙げられる。
【００１１】
むろん、識別情報に基づいて認証が行われた後に制御部が所定の処理を実行する構成であっても識別情報に基づいて利用者が識別された状態である。すなわち、識別情報に基づいて利用者が識別された状態とは、少なくとも、個人を特定可能なＩＤ等によって、利用者が特定の個人であると識別された状態であればよい。識別情報が適正に使用されているか否かをチェックするためには、識別情報と他の情報（例えば、パスワード等）との組み合わせが適正であるか否かを照合することによって認証を行えばよいが、当該認証が行われた状態は、識別情報に基づいて利用者が識別された状態であるとともに、当該識別された情報が適正であると確認された状態である。
【００１２】
所定の処理は、処理実行システムで実行可能な任意の処理であればよく、リムーバブルメディアの記録情報を利用した処理や、処理結果がリムーバブルメディアの記録情報となる処理である。例えば、リムーバブルメディアの記録情報に基づく印刷処理や、任意の走査対象のスキャン結果をリムーバブルメディアに記録情報として記録するスキャン処理等が当該所定の処理に該当する。
【００１３】
さらに、制御部は、リムーバブルメディアを取り外すことなく利用者が去ったか否かを判定することができる。リムーバブルメディアを取り外すことなく利用者が去ったか否かの判定は種々のセンサーによって実行可能であり、例えば、リムーバブルメディアが端子に取り付けられた状態で、当該センサーで利用者が処理実行システムから離れたことを検出した場合に、リムーバブルメディアを取り外すことなく利用者が去ったと判定する構成等を採用可能である。センサーは、種々のセンサーを採用可能であり、感熱センサーや光学センサー（可視光、非可視光を含む）であってもよいし、処理実行システムにおいて任意の操作が行われない状態で所定時間が経過したことを検出するセンサーであってもよい。
【００１４】
リムーバブルメディアと異なる記録媒体に記録情報が記録される際には、識別情報と記録情報とが関連づけられる。すなわち、当該記録情報が、特定の利用者が使用した情報であると特定できるように識別情報と記録情報とが関連づけられていればよい。リムーバブルメディアと異なる記録媒体は、仮に、リムーバブルメディアが持ち去られた場合であっても、当該記録媒体が持ち去られないように、リムーバブルメディアとともに持ち去られることがない媒体によって構成されていれば良い。従って、当該記録媒体は、リムーバブルメディアの端子が備えられた所定の処理を実行する装置の内部に、取り外しができないまたは困難な状態で設けられた記録媒体であってもよいし、所定の処理を実行する装置の外部に存在する他の装置（サーバー等）が備える記録媒体であってもよい。
【００１５】
さらに、制御部は、リムーバブルメディアから記録情報を削除することができる。当該削除は、復元できないように（例えば、記録情報が記録されていた領域に他の情報を記録するなど）行われる。
【００１６】
さらに、制御部は、利用者の連絡先情報が連絡先記録部に記録されているか否かを判定する。すなわち、制御部は、連絡先記録部を参照し、所定の処理を実行した利用者（識別情報によって識別された利用者）の識別情報が連絡先記録部に記録され、当該識別情報に連絡先が関連づけられている場合、利用者の連絡先情報が連絡先記録部に記録されていると判定する。
【００１７】
さらに、制御部は、利用者の連絡先情報が連絡先記録部に記録されている場合には、利用者の連絡先に、記録媒体に記録された記録情報を利用可能にする通知を行う。当該通知は、利用者が当該通知を受け取ることによって、記録媒体に記録された記録情報を利用できるようになるような通知であればよい。従って、通知の種類は限定されず、電子メールであってもよいし、通話等の各種の通信であってもよいし、郵送であってもよい。いずれにしても、記録媒体に記録された記録情報を通知によって利用できるようにするための構成としては、例えば、通知とともに、記録媒体に記録された記録情報へのアクセスを実行するための情報を連絡先に送信する構成を採用してもよい。
【００１８】
記録情報へのアクセスを実行するための情報としては、種々の構成を採用可能であり、例えば、記録媒体上の記録位置（保存フォルダを示すパスや記録領域を示すアドレス等）が含まれていてもよいし、アプリケーションプログラムによる記録情報へのアクセスを可能にする情報（ＨＴＴＰやＦＴＰなど、各種のプロトコルを利用した記録情報の転送を可能にするための情報（ＵＲＬ等））が含まれていてもよい。むろん、記録情報の取得を行うためのアプリケーションプログラムが通知とともに送信（メール添付等）され、当該アプリケーションプログラムを実行することによって記録媒体の取得が行われる構成であってもよいし、記録情報が通知に添付されてもよい。さらに、記録媒体の取得が行われる前には、識別情報に基づく認証が行われてもよい。
【００１９】
認証は、記録情報に関連づけられた識別情報に基づいて実行されればよく、種々のタイミングで実行可能である。例えば、記録情報が記録された記録媒体にアクセスされた場合に認証が求められる構成や、アプリケーションプログラムによる記録情報へのアクセスを行う場合において当該アプリケーションプログラムを実行すると認証が求められる構成や、通知とともに送信された記録情報にアクセスする際に認証が求められる構成等を採用可能である。
【００２０】
さらに、制御部は、利用者の連絡先情報が連絡先記録部に記録されていない場合には、識別情報に基づいて認証が行われた場合に、記録媒体に記録された記録情報を利用可能にする。すなわち、リムーバブルメディアを取り外すことなく利用者が去った場合にはリムーバブルメディアから記録情報が削除され、他の記録媒体に記録情報が記録されている。この状態において、後に利用者がリムーバブルメディアの取り忘れに気づいたり、他者からリムーバブルメディアが利用者に届けられたりした場合等に、利用者は、単にリムーバブルメディアにアクセスするだけでは記録情報を取得することはできない。
【００２１】
しかし、この状態においても記録情報を再度使用できるようにするため、認証が行われた場合には、リムーバブルメディアと異なる記録媒体に記録された記録情報が利用可能になるように構成されている。ここでも、種々の態様で認証を行うことが可能であり、例えば、制御部が、認証と記録媒体に記録された記録情報へのアクセスを実行するための情報を、リムーバブルメディアに記録する構成を採用してもよい。この構成によれば、利用者が当該リムーバブルメディアを任意の端末（パーソナルコンピューターや処理実行システム）に接続し、当該リムーバブルメディアに記録された情報を利用して認証を行うことで、記録情報にアクセスすることが可能になる。
【００２２】
ここで、認証と記録媒体に記録された記録情報へのアクセスを実行するための情報は、種々の情報を想定可能であり、認証とアクセスとを行うためのプログラムであってもよいし、認証とアクセスのためのプログラムで利用される情報であってもよい。前者としては、例えば、認証およびアクセスを行うアプリケーションプログラムを示す情報が想定される。すなわち、この構成においては、利用者が、任意の端末でアプリケーションプログラムを実行すると当該プログラムの実行下で認証が求められ、認証を行うことで、利用者は記録情報にアクセス可能になる。後者としては、例えば、認証を行う他のコンピューター（サーバー等）のアクセス先を示す情報等が想定される。すなわち、この構成においては、利用者が、任意のプログラム（ＯＳやブラウザ）の機能を利用して他のコンピューターのアクセス先にアクセスすることで認証が求められ、認証を行うことで、利用者は記録情報を利用可能になる。
【００２３】
むろん、利用者が取り忘れたリムーバブルメディアに記録情報を再記録できるように構成されていても良い。このための構成としては、例えば、制御部が識別情報の入力を受け付けられるように構成されており、当該識別情報に基づいて認証が行われた場合に、記録媒体に記録された記録情報を、制御部がリムーバブルメディアに記録する構成であってもよい。すなわち、処理実行システムにおいて、識別情報に基づく認証を行えるような入力部が備えられており、当該入力部への入力情報（パスワード等）に基づいて識別情報が適正であると制御部が判定した場合に、一旦削除されていた記録情報を制御部が再度リムーバブルメディアに記録する。この構成によれば、リムーバブルメディアを取り忘れた利用者がすぐに取り忘れに気づいて処理実行システムのリムーバブルメディアの接続部に戻った場合に、別の端末で操作することなく記録情報をリムーバブルメディアに再記録することが可能になる。
【００２４】
なお、制御部は、１個の装置に備えられていてもよいし、複数の装置に分散して存在してもよい。例えば、制御部が実行する各種の機能が１個の制御部で実現される場合、処理実行システムがスタンドアローン型のシステムとして提供されることになる。各種の機能が２個以上の制御部で実現される場合、複数の装置がネットワーク接続された状態で複数の装置が備える制御部で処理実行システムが実現されることになる。
【００２５】
さらに、本発明のように、リムーバブルメディアを取り外すことなく利用者が去った場合に、リムーバブルメディアから記録情報を削除し、連絡先の有無に応じて記録情報の再取得法を分ける手法は、プログラムや方法としても適用可能である。また、以上のような装置、プログラム、方法は、単独の装置として実現される場合もあれば、複合的な機能を有する装置において共有の部品を利用して実現される場合もあり、各種の態様を含むものである。
【図面の簡単な説明】
【００２６】
【図１】は本発明の実施形態にかかるブロック図である。
【図２】は本発明の実施形態にかかるブロック図である。
【図３】複合機で実行される処理のフローチャートである。
【発明を実施するための形態】
【００２７】
ここでは、下記の順序に従って本発明の実施の形態について説明する。
（１）コンピューターの構成：
（２）選択受付処理：
（３）他の実施形態：
【００２８】
（１）コンピューターの構成：
図１は、本発明の一実施形態にかかる処理実行システム１の構成を示すブロック図である。本実施形態にかかる処理実行システム１は、複合機１０とサーバー１００とによって構成される。
【００２９】
サーバー１００は、ＣＰＵ、ＲＡＭ、ＲＯＭ等を備えるサーバー制御部２００と記録媒体３００と通信部４００とを備えており、サーバー制御部２００は、ＲＯＭや記録媒体３００に記録されたプログラムを実行することにより、各種の処理を実行することができる。記録媒体３００は、任意の情報を記録可能な記録媒体であり、本実施形態においては、予め連絡先情報３００ａが記録されている。連絡先情報３００ａは、個人の識別情報と連絡先とを関連づけた情報であり、本実施形態においては、個人の識別情報としてのＩＤと、識別情報が適正であるか否かを判定するための認証情報としてのパスワードと、識別情報で識別される個人の連絡先（各個人が利用しているメールアドレス）とを対応づけた情報である。従って、本実施形態においては、記録媒体３００が連絡先記録部として機能する。
【００３０】
通信部４００は、外部の装置と通信を行うための装置であり、本実施形態において通信部４００は、複合機１０およびクライアント１０１と通信を行うことが可能である。なお、本実施形態において、通信部４００は、有線通信によって複合機１０およびクライアント１０１と通信を行うが、むろん、通信部４００は任意の端末と有線通信、無線通信によって通信可能に構成されて良い。また、通信経路の一部が有線、一部が無線であってもよい。
【００３１】
クライアント１０１は、利用者が利用する据え置き型のコンピューターであり、図示しない通信部によりサーバー１００と通信を行うことができる。また、クライアント１０１は、図示しないメディア接続部を備えており、当該メディア接続部にはリムーバブルメディア４２ａを取り付けることが可能である。従って、メディア接続部にリムーバブルメディア４２ａが取り付けられた状態で、利用者はクライアント１０１を操作してリムーバブルメディア４２ａに記録された情報を参照し、また、任意の情報をリムーバブルメディア４２ａに記録することが可能である。
【００３２】
携帯端末１０２は、利用者が利用する過般型のコンピューターであり、図示しない通信部により複合機１０と通信を行うことができる。携帯端末１０２は各種の態様で通信を行うことが可能であるが、本実施形態において携帯端末１０２は複合機１０が送信した電子メールを受信することが可能である。
【００３３】
複合機１０は、ＣＰＵ、ＲＡＭ、ＲＯＭ等を備える複合機制御部２０とスキャン部４０とユーザーＩ／Ｆ４１とメディア接続部４２と通信部４３と感熱センサー４４とを備えており、複合機制御部２０は、ＲＯＭに記録されたプログラムを実行することにより、スキャン部４０等の制御や各種の処理を実行することができる。
【００３４】
スキャン部４０は、ラインセンサー等の読取部によって任意の媒体上の記録内容を画像化する装置である。すなわち、複合機制御部２０は、当該スキャン部４０を制御することにより、媒体上の記録内容をスキャンさせ、スキャン部４０が出力する画像情報を取得することができる。当該スキャン部４０を利用したスキャン処理は、複合機制御部２０が実行可能な所定の処理の１種であるが、本実施形態にかかる複合機１０は、他にも種々の処理を実行することが可能である。すなわち、複合機１０は、図示しない印刷部等を備えており、複合機制御部２０は、当該印刷部を制御することによって、印刷データが示す印刷内容を印刷媒体に印刷させることができる。むろん、複合機制御部２０が、通信部４３を制御してファクシミリ送受信を実行してもよいし、複合機１０が実行可能な機能としては他にも種々の機能が想定可能であるが、本明細書では、スキャン部４０を例にして処理実行システム１の動作を説明する。
【００３５】
ユーザーＩ／Ｆ４１は、任意の画像を表示するディスプレイと利用者が各種の入力を行う入力部とを備えており、複合機制御部２０は、ユーザーＩ／Ｆ４１を制御して表示部上に任意の画像を表示することが可能である。また、複合機制御部２０は、入力部が出力する出力結果を取得し、利用者が入力した入力内容を取得することが可能である。
【００３６】
メディア接続部４２は、リムーバブルメディア４２ａを着脱可能な端子である。複合機制御部２０は、メディア接続部４２にリムーバブルメディア４２ａが取り付けられた状態で、リムーバブルメディア４２ａに記録された記録情報４２ｂを読み出し、また、任意の情報を記録情報４２ｂとしてリムーバブルメディア４２ａに記録することができる。本実施形態において、複合機制御部２０は、スキャン部４０におけるスキャン結果を示す画像情報を記録情報４２ｂとしてリムーバブルメディア４２ａに対して記録する。なお、複合機制御部２０は、メディア接続部４２に制御信号を出力することにより、メディア接続部４２にリムーバブルメディア４２ａが取り付けられているか否かを判定することができる。
【００３７】
通信部４３は、外部の装置と通信を行うための装置であり、本実施形態において通信部４３は、サーバー１００および携帯端末１０２と通信を行うことが可能である。なお、本実施形態において、通信部４３は、有線通信によってサーバー１００と通信を行い、無線通信によって携帯端末１０２と通信を行うが、むろん、通信部４３は任意の端末と有線通信、無線通信によって通信可能に構成されて良い。また、通信経路の一部が有線、一部が無線であってもよい。
【００３８】
感熱センサー４４は、複合機１０を操作する際に利用者が存在する位置を検出範囲として赤外線を検出するセンサーである。複合機制御部２０は、感熱センサー４４の出力信号を取得し、当該出力信号に基づいて、利用者が複合機１０を操作可能な範囲に存在するか否かを判定することができる。
【００３９】
本実施形態において複合機制御部２０は、識別情報に基づいて識別された利用者の指示に応じてリムーバブルメディア４２ａの記録情報４２ｂに関する所定の処理であるスキャン処理を実行する。すなわち、複合機制御部２０は、ユーザーＩ／Ｆ４１を制御し、利用者の識別情報を認証するための画面を表示部に表示させる。利用者が、ユーザーＩ／Ｆ４１の入力部によって識別情報とパスワードを入力すると、複合機制御部２０は、サーバー１００と通信を行って連絡先情報３００ａを参照し、入力された識別情報とパスワードとの組み合わせが適正である場合に認証がなされたと見なし、ログインを許可する。このようにログインが許可された状態において、複合機制御部２０は、認証を行った利用者が入力するスキャン指示に応じてスキャン部４０を制御し、任意の媒体の記録内容を画像化した画像情報を生成する。画像情報が生成されると、複合機制御部２０は、当該画像情報をリムーバブルメディア４２ａに記録情報４２ｂとして記録する。
【００４０】
このように、認証された利用者が複合機１０において任意の処理を実行する構成において、リムーバブルメディア４２ａには複合機１０で実行されたスキャン結果を示す記録情報４２ｂが記録され得る。従って、スキャン終了後に利用者がリムーバブルメディア４２ａをメディア接続部４２から取り外すことを忘れると、情報漏洩が発生し得る。そこで、本実施形態にかかる複合機１０においては、情報漏洩の発生を防止するための構成が備えられている。
【００４１】
すなわち、複合機制御部２０は、リムーバブルメディア４２ａを取り外すことなく利用者が去った場合に、識別情報と記録情報とを関連づけてリムーバブルメディア４２ａと異なる記録媒体３００に記録し、リムーバブルメディア４２ａから記録情報４２ｂを削除し、利用者の連絡先情報が記録媒体３００に記録されている場合には、利用者の連絡先に、記録媒体に記録された記録情報を利用可能にする通知を行い、利用者の連絡先情報が記録媒体３００連絡先記録部に記録されていない場合には、識別情報に基づいて認証が行われた場合に、記録媒体に記録された記録情報を利用可能にする。
【００４２】
具体的には、複合機制御部２０は、リムーバブルメディア４２ａを取り外すことなく利用者が去ったか否かを判定する。すなわち、複合機制御部２０は、感熱センサー４４の出力信号に基づいて、利用者が複合機１０を操作可能な範囲に存在するか否かを判定することが可能である。利用者が複合機１０を操作可能な範囲に存在すると判定されない場合、複合機制御部２０は、さらに、制御信号を出力することにより、メディア接続部４２にリムーバブルメディア４２ａが取り付けられているか否かを判定する。そして、メディア接続部４２にリムーバブルメディア４２ａが取り付けられている場合、複合機制御部２０は、リムーバブルメディア４２ａを取り外すことなく利用者が去ったと判定する。
【００４３】
リムーバブルメディア４２ａを取り外すことなく利用者が去ったと判定された場合、複合機制御部２０は、利用者の識別情報と記録情報４２ｂとを関連づけてリムーバブルメディア４２ａと異なる記録媒体３００に記録し、リムーバブルメディア４２ａから記録情報４２ｂを削除する。すなわち、複合機制御部２０は、利用者の識別情報と記録情報４２ｂとを関連づけることにより、記録情報４２ｂが、特定の利用者が使用した情報であると特定できるように情報を定義する。そして、複合機制御部２０は、通信部４３を介してサーバー１００に当該情報を出力する。当該情報が送信されると、サーバー制御部２００は、通信部４００を制御して当該情報を取得し、記録媒体３００に記録情報３００ｂとして記録する（図２参照）。
【００４４】
さらに、複合機制御部２０は、メディア接続部４２に制御信号を出力し、リムーバブルメディア４２ａから記録情報４２ｂを復元できないように、リムーバブルメディア４２ａから記録情報４２ｂを削除する。すなわち、複合機制御部２０は、記録情報４２ｂが記録されていた記録領域に他の情報を記録して、リムーバブルメディア４２ａから記録情報４２ｂを削除する。
【００４５】
以上のように、本実施形態においては、リムーバブルメディア４２ａを取り外すことなく利用者が去った場合、リムーバブルメディア４２ａに記録された記録情報４２ｂが、リムーブバルメディアから削除される。従って、リムーバブルメディア４２ａの取り忘れが発生した場合であっても記録情報４２ｂの漏洩を防止することが可能である。
【００４６】
さらに、複合機制御部２０は、利用者の連絡先情報３００ａが記録媒体３００に記録されているか否かを判定する。すなわち、複合機制御部２０は、通信部４３を介してサーバー１００と通信を行って連絡先情報３００ａを参照し、直前まで複合機１０を利用していた利用者の識別情報（ログインされた利用者の識別情報）が連絡先情報３００ａに含まれるか否かを判定する。
【００４７】
利用者の連絡先情報３００ａが記録媒体３００に記録されている場合、複合機制御部２０は、記録情報３００ｂ（図２参照）を利用可能にするための通知を利用者の連絡先に対して行う。本実施形態においては、電子メールのメールアドレスによって連絡先が定義されているため、複合機制御部２０は、利用者に電子メールを送信することによって当該通知を行う。電子メールが送信されると、利用者が携帯端末１０２を操作して当該電子メールを視認することにより、利用者はリムーバブルメディア４２ａを取り忘れたことに気づくことができる。
【００４８】
本実施形態において、当該通知には、サーバー１００における記録情報３００ｂの記録位置を示す情報（例えば、ファイルのパスやＵＲＬ等）が含まれている。従って、電子メールが送信されると、利用者が携帯端末１０２を操作して当該電子メールを視認することにより、利用者はサーバー１００における記録情報３００ｂの記録位置を把握することができる。このため、利用者がクライアント１０１を操作してサーバー１００にアクセスし、当該記録位置に記録された記録情報３００ｂをクライアント１０１に転送するなどにより、利用者は、再度リムーバブルメディア４２ａに記録されていた記録情報を利用することが可能になる。
【００４９】
なお、本実施形態においてサーバー１００は、当該サーバー１００に外部からアクセスするクライアント１０１に対して認証を要求する。すなわち、クライアント１０１から記録位置のファイルへのアクセス要求があると、サーバー制御部２００は、通信部４００を介して識別情報とパスワードの入力を要求する信号をクライアント１０１に送信する。当該信号が送信されると、クライアント１０１においては、識別情報とパスワードの入力画面を表示部（図示せず）に表示する。利用者が当該画面において識別情報とパスワードとを入力すると、クライアント１０１は識別情報とパスワードとをサーバー１００に送信する。
【００５０】
サーバー制御部２００は、通信部４００を介して当該識別情報とパスワードとを取得し、連絡先情報３００ａを参照し、これらの識別情報とパスワードとが適正な組み合わせであるか否かを判定する。識別情報とパスワードとが適正な組み合わせである場合、サーバー制御部２００は、クライアント１０１からの記録情報３００ｂへのアクセスを許可する。すなわち、記録情報３００ｂは識別情報に関連づけられているため、サーバー制御部２００は、認証が行われた識別情報が対応づけられた記録情報３００ｂについてのみ、クライアント１０１からのアクセスを許可する。
【００５１】
以上の構成においては、電子メールによる通知が行われる段階ではリムーバブルメディア４２ａから記録情報４２ｂは削除され、リムーバブルメディア４２ａと異なる記録媒体３００に当該記録情報３００ｂが記録されているため、仮にリムーバブルメディア４２ａが他者に持ち去られたとしても、記録情報４２ｂが漏洩することはない。さらに、電子メールによる通知が行われると、利用者は、当該通知に基づいて記録情報を再度利用することが可能である。
【００５２】
一方、利用者の連絡先情報３００ａが記録媒体３００に記録されていない場合、複合機制御部２０は、リムーバブルメディア４２ａにアクセス情報４２ｃ（図２参照）を記録し、当該アクセス情報４２ｃに基づいてサーバー１００にアクセスした利用者が適正に認証を行った場合に、記録媒体３００に記録された記録情報３００ｂを利用可能にする。すなわち、リムーバブルメディア４２ａを取り外すことなく利用者が去った場合にはリムーバブルメディア４２ａから記録情報が削除され、記録媒体３００に記録情報３００ｂが記録されている。この状態において、後に利用者がリムーバブルメディア４２ａの取り忘れに気づいたり、他者からリムーバブルメディア４２ａが利用者に届けられたりした場合等に、利用者は、単にリムーバブルメディア４２ａにアクセスするだけでは記録情報３００ｂを取得することはできない。
【００５３】
しかし、この状態においても認証された利用者が記録情報を再度使用できるようにするため、本実施形態において複合機制御部２０は、認証と記録媒体３００に記録された記録情報３００ｂへのアクセスを実行するためのアクセス情報４２ｃを、リムーバブルメディア４２ａに記録する。本実施形態において、アクセス情報４２ｃは、認証とアクセスとを行うためのアプリケーションプログラムを示す情報である。当該アプリケーションプログラムを示す情報は、クライアント１０１で実行可能な形式である。従って、リムーバブルメディア４２ａがクライアント１０１に運ばれ（図２に示す破線の矢印）、利用者がクライアント１０１の図示しないメディア接続部に接続して、アクセス情報４２ｃとしてのアプリケーションプログラムを実行すると、利用者は、クライアント１０１を利用してサーバー１００に記録された記録情報３００ｂへのアクセスに必要な認証と、記録情報３００ｂへのアクセスを実行することが可能になる。
【００５４】
アプリケーションプログラムは、クライアント１０１にて認証とアクセスを実行可能にするプログラムであればよく、例えば、クライアント１０１に識別情報とパスワードとを入力させる画面を表示させ、当該画面を利用して入力された識別情報とパスワードとをサーバー１００に送信し、適正に認証が行われた場合に、識別情報が関連づけられた記録情報３００ｂをサーバー制御部２００がリムーバブルメディア４２ａに転送する処理を実行させるプログラムによって構成可能である。この構成によれば、利用者は、再度、記録情報にアクセスすることが可能になる。
【００５５】
（２）選択受付処理：
次に、複合機制御部２０が実行する処理を、図３に示すフローチャートに沿って詳細に説明する。図３に示す処理は、利用者が、複合機１０を利用する際（例えば、初期起動時やスリープ状態からの復帰時等）に実行される。当該処理が開始されると、複合機制御部２０は、認証処理を行う（ステップＳ１００）。すなわち、複合機制御部２０は、ユーザーＩ／Ｆ４１を制御し、利用者の識別情報を認証するための画面を表示部に表示させる。利用者が、ユーザーＩ／Ｆ４１の入力部によって識別情報とパスワードを入力すると、複合機制御部２０は、サーバー１００と通信を行って連絡先情報３００ａを参照し、入力された識別情報とパスワードとの組み合わせが適正である場合に認証がなされたと見なす。認証がなされた場合、入力された識別情報に対応する利用者によってログインされた状態となる。
【００５６】
次に、利用者は、ユーザーＩ／Ｆ４１の入力部を操作して、所定の処理を実行する。図３においては、スキャン処理（ステップＳ１０５）が例示されており、この場合、複合機制御部２０は、利用者のスキャン開始指示に応じてスキャン部４０を制御し、スキャンされた媒体の記録内容を画像化した画像情報を生成する。次に、複合機制御部２０は、スキャン結果である画像情報を記録情報４２ｂとしてリムーバブルメディア４２ａに記録する（ステップＳ１１０）。
【００５７】
次に、複合機制御部２０は、リムーバブルメディア４２ａの取出を促す画面を表示する（ステップＳ１１５）。すなわち、複合機制御部２０は、ユーザーＩ／Ｆ４１を制御し、リムーバブルメディア４２ａの取出を促す文字を表示部に表示させる。むろん、ここでは、文字以外の画像が表示されてもよいし、音声で警告がなされてもよい。
【００５８】
次に、複合機制御部２０は、利用者が去ったか否かを判定する（ステップＳ１２０）。すなわち、複合機制御部２０は、感熱センサー４４の出力信号に基づいて、利用者が複合機１０を操作可能な範囲に存在すると判定されない場合、複合機制御部２０は、利用者が去ったとみなす。ステップＳ１２０において、利用者が去ったと判定されない場合、複合機制御部２０は、ステップＳ１２０の判定を所定時間毎に繰り返すことで待機する。むろん、ここでは、割込処理が実行可能であってもよく、例えば、複合機１０において再度スキャン処理を行う指示がなされた場合に複合機制御部２０がステップＳ１０５に戻って処理を続けてもよい。
【００５９】
ステップＳ１２０において、利用者が去ったと判定された場合、複合機制御部２０は、利用者がリムーバブルメディア４２ａを取り忘れたか否かを判定する（ステップＳ１２５）。すなわち、複合機制御部２０は、メディア接続部４２に制御信号を出力することにより、メディア接続部４２にリムーバブルメディア４２ａが取り付けられているか否かを判定し、メディア接続部４２にリムーバブルメディア４２ａが取り付けられている場合に利用者がリムーバブルメディア４２ａを取り忘れたと判定する。
【００６０】
ステップＳ１２５において、利用者がリムーバブルメディア４２ａを取り忘れたと判定されない場合、複合機制御部２０は、利用者がリムーバブルメディア４２ａを持ち去ったと見なし、ログアウト処理を行う（ステップＳ１３０）。すなわち、複合機１０は、所定の処理を実施できない状態となり、この状態で次に認証が行われるまで待機する。この場合、スキャン結果である画像情報がリムーバブルメディア４２ａに記録された状態で利用者にリムーバブルメディア４２ａが運ばれることになる。
【００６１】
一方、ステップＳ１２５において、利用者がリムーバブルメディア４２ａを取り忘れたと判定された場合、複合機制御部２０は、サーバー１００の記録媒体３００に記録情報３００ｂを記録する（ステップＳ１３５）。すなわち、複合機制御部２０は、通信部４３を介してサーバー１００と通信を行い、リムーバブルメディア４２ａに記録された記録情報４２ｂをサーバー１００に送信する。サーバー制御部２００は、通信部４００を介して当該記録情報４２ｂを取得し、図２に示すように、記録情報３００ｂとして記録媒体３００に記録する。
【００６２】
次に、複合機制御部２０は、リムーバブルメディア４２ａから記録情報４２ｂを削除する（ステップＳ１４０）。従って、ステップＳ１４０以後、リムーバブルメディア４２ａが他者に持ち去れたとしても、リムーバブルメディア４２ａによって記録情報が漏洩することはない。
【００６３】
次に、複合機制御部２０は、利用者の連絡先が連絡先情報３００ａに含まれるか否かを判定する（ステップＳ１４５）。すなわち、複合機制御部２０は、ステップＳ１００で認証された識別情報を、通信部４３を介してサーバー１００に送信する。サーバー制御部２００は、通信部４００を介して当該識別情報を取得し、記録媒体３００に記録された連絡先情報３００ａを参照する。サーバー制御部２００は、ステップＳ１００で認証された識別情報が連絡先情報３００ａに含まれているか否かを判定し、当該識別情報が連絡先情報３００ａに含まれていると判定された場合、当該識別情報に対して連絡先が関連づけられているか否かを判定する。当該識別情報に対して連絡先が関連づけられている場合、サーバー制御部２００は、利用者の連絡先が連絡先情報３００ａに含まれると判定する。さらに、サーバー制御部２００は、利用者の連絡先が連絡先情報３００ａに含まれるか否かの判定結果を複合機１０に対して送信し、複合機制御部２０は、当該判定結果に基づいて、利用者の連絡先が連絡先情報３００ａに含まれるか否かを判定する。
【００６４】
ステップＳ１４５において、利用者の連絡先が連絡先情報３００ａに含まれると判定された場合、複合機制御部２０は、取り忘れの発生と記録情報の記録位置とを利用者に通知する（ステップＳ１５０）。すなわち、複合機制御部２０は、通信部４３を介してサーバー１００に対して利用者の連絡先の要求を行う。当該要求が行われると、サーバー制御部２００は連絡先情報３００ａを参照し、利用者の識別情報に関連づけられた利用者の連絡先を取得し、通信部４００を介して複合機１０に送信する。
【００６５】
複合機制御部２０が通信部４３を介して当該利用者の連絡先を取得すると、取り忘れが発生したことを示す文面と、記録情報３００ｂの記録位置を示す情報を示す文面の電子メールを作成し、利用者の連絡先としての電子メールアドレスに対して電子メールを送信する。電子メールが送信されると、利用者が携帯端末１０２を操作して当該電子メールを視認することにより、利用者はリムーバブルメディア４２ａを取り忘れたことに気づくことができる。また、利用者は、クライアント１０１を操作して、記録情報３００ｂの記録位置にアクセスし、利用者の識別情報が関連づけられた記録情報３００ｂを利用することが可能になる。
【００６６】
一方、ステップＳ１４５において、利用者の連絡先が連絡先情報３００ａに含まれると判定されない場合、複合機制御部２０は、アプリケーションプログラムをリムーバブルメディア４２ａに記録する（ステップＳ１５５）。すなわち、複合機制御部２０は、メディア接続部４２に制御信号を出力し、認証とアクセスとを行うためのアプリケーションプログラムを示す情報をアクセス情報４２ｃとしてリムーバブルメディア４２ａに記録する。この状態において、図２に示す破線の矢印のように、リムーバブルメディア４２ａがクライアント１０１に運ばれ、利用者がクライアント１０１でアプリケーションプログラムを実行すると、利用者は、記録情報３００ｂへのアクセスに必要な認証を行った上で、利用者の識別情報が関連づけられた記録情報３００ｂを利用することが可能になる。
【００６７】
ステップＳ１５０またはＳ１５５が実行されると、複合機制御部２０は、ログアウト処理を行う（ステップＳ１６０）。すなわち、複合機１０は、所定の処理を実施できない状態となり、この状態で次に認証が行われるまで待機する。次に、複合機制御部２０は、ユーザーＩ／Ｆ４１を制御し、取り忘れの発生を示す画面を表示部に表示する（ステップＳ１６５）。すなわち、複合機制御部２０は、ステップＳ１００で認証された識別情報とともに、メディア接続部４２にリムーバブルメディア４２ａが忘れられたままであることを示す情報をユーザーＩ／Ｆ４１の表示部に表示させる。従って、仮に、利用者が複合機１０までリムーバブルメディア４２ａを取りに戻るよりも早く、他者が複合機１０を利用する場合であっても、当該他者はリムーバブルメディア４２ａの所有者を確認することができる。このため、他者を通じてリムーバブルメディア４２ａが利用者に返却される可能性が高くなる。
【００６８】
なお、本実施形態にかかる処理実行システム１を構成する複合機１０は、個人の識別情報に基づいて識別された利用者の指示に応じて、リムーバブルメディアの記録情報に関する所定の処理を実行する制御部を備える処理実行装置であって、制御部は、リムーバブルメディアを取り外すことなく利用者が去った場合に、識別情報と記録情報とを関連づけてリムーバブルメディアと異なる記録媒体に記録し、リムーバブルメディアから記録情報を削除し、識別情報と連絡先とを関連づけた連絡先情報が記録された連絡先記録部に、利用者の連絡先情報が記録されている場合には、利用者の連絡先に通知を行い、連絡先記録部に利用者の連絡先情報が記録されていない場合には、識別情報に基づく認証と記録媒体に記録された記録情報へのアクセスを実行するための情報を、リムーバブルメディアに記録する、処理実行装置であると捉えることも可能である。
【００６９】
（３）他の実施形態：
以上の実施形態は本発明を実施するための一例であり、リムーバブルメディアを取り外すことなく利用者が去った場合に、リムーバブルメディアから記録情報を削除し、連絡先の有無に応じて記録情報の再取得法を分ける限りにおいて、他にも種々の実施形態を採用可能である。
【００７０】
例えば、利用者の連絡先情報が連絡先記録部に記録されていない場合には、複合機制御部２０が利用者による識別情報の入力を受け付け、当該識別情報に基づいて認証が行われた場合に、記録媒体に記録された記録情報をリムーバブルメディアに記録する構成としてもよい。具体的には、複合機制御部２０は、ステップＳ１５５の代わり、または、ステップＳ１６５において、認証を促す画面をユーザーＩ／Ｆ４１の表示部に表示する構成とする。この画面を利用して利用者が適正に認証を行った場合、複合機制御部２０は、認証された識別情報に関連づけられた記録情報３００ｂをサーバー１００から取得し、リムーバブルメディア４２ａに記録する。この構成によれば、リムーバブルメディア４２ａの取り忘れに気がついてリムーバブルメディア４２ａを取りに戻った利用者が、複合機１０を操作することによって、一旦削除された記録情報をリムーバブルメディア４２ａに再度を記録させることができる。このため、利用者は、クライアント１０１や携帯端末１０２の操作をすることなく、記録情報を利用することが可能になる。むろん、この構成は、処理実行システムとして捉えることができるとともに、処理実行装置（複合機１０単独の発明）と捉えることも可能である。
【００７１】
さらに、図３に示す処理に対して種々の処理を付加してもよい。例えば、ステップＳ１５０やステップＳ１５５の実行後に、アクセス情報４２ｃの受け渡し態様（メールによる受け渡しまたはリムーバブルメディア４２ａへの記録）を他者、例えば、ＩＴ管理者に通知する処理が付加されてもよい。
【００７２】
さらに、アクセス情報４２ｃを利用したサーバー１００へのアクセス態様は、上述の構成以外にも種々の構成を採用可能であり、例えば、利用者がクライアント１０１を利用せずに携帯端末１０２でサーバー１００にアクセスし、記録媒体３００に記録された記録情報３００ｂを取得する構成であってもよい。さらに、各構成要素が異なる装置に備えられていてもよい。例えば、連絡先情報３００ａが複合機１０に備えられた記録媒体に記録されていてもよい。
【符号の説明】
【００７３】
１０…複合機、２０…複合機制御部、４０…スキャン部、４２…メディア接続部、４２ａ…リムーバブルメディア、４２ｂ…記録情報、４２ｃ…アクセス情報、４３…通信部、４４…感熱センサー、１００…サーバー、１０１…クライアント、１０２…携帯端末、２００…サーバー制御部、３００…記録媒体、３００ａ…連絡先情報、３００ｂ…記録情報、４００…通信部
【図１】
2016111496.tif 000003
【図２】
2016111496.tif 000004
【図３】
2016111496.tif 000005